(57)【要約】【課題】組立作業性を向上させた食器洗い機を提供すること。【解決手段】食器洗い機は、前面側に前面壁を有し、食器類を収容する洗浄槽と、洗浄槽の前面側に設けられた前面扉と、洗浄槽内に収容された食器類に向けて水を噴射する洗浄ノズルと、音を発生させるスピーカーと、を備え、スピーカーは、前面壁と前面扉との間の前面壁側に配置されているものである。【選択図】図１
2018033848.tif 000002
【特許請求の範囲】
【請求項１】
前面側に前面壁を有し、食器類を収容する洗浄槽と、
前記洗浄槽の前面側に設けられた前面扉と、
前記洗浄槽内に収容された食器類に向けて水を噴射する洗浄ノズルと、
音を発生させるスピーカーと、を備え、
前記スピーカーは、前記前面壁と前記前面扉との間の前記前面壁側に配置されている
ことを特徴とする食器洗い機。
【請求項２】
前記スピーカーは、前記洗浄槽の高さ方向中央よりも上部に配置されている
ことを特徴とする請求項１に記載の食器洗い機。
【請求項３】
前記スピーカーは、前面が前記前面扉側を向くように配置されている
ことを特徴とする請求項１または２に記載の食器洗い機。
【請求項４】
前記スピーカーは、後面が前記前面扉側を向くように配置されている
ことを特徴とする請求項１または２に記載の食器洗い機。
【請求項５】
前記洗浄槽の前記前面壁には、前記スピーカーの後面を覆う囲い込み部が設けられている
ことを特徴とする請求項１〜４のいずれか一項に記載の食器洗い機。
【請求項６】
前記囲い込み部は、前記洗浄槽とは別体として設けられている
ことを特徴とする請求項５に記載の食器洗い機。
【請求項７】
前記囲い込み部は、前方に突出し、前記スピーカーの側部を支持する立壁を有し、
前記立壁は樹脂または弾性部材で形成されている
ことを特徴とする請求項５または６に記載の食器洗い機。
【請求項８】
前記囲い込み部は、ホーン形状を有している
ことを特徴とする請求項５〜７のいずれか一項に記載の食器洗い機。
【請求項９】
前記洗浄槽は、前記前面壁の側部に、前方に突出した側壁を有している
ことを特徴とする請求項１〜８のいずれか一項に記載の食器洗い機。
【請求項１０】
前記側壁は、一部が開口している
ことを特徴とする請求項９に記載の食器洗い機。
【請求項１１】
前記スピーカーは、前記洗浄槽にネジで固定されている
ことを特徴とする請求項１〜１０のいずれか一項に記載の食器洗い機。
【発明の詳細な説明】
【技術分野】
【０００１】
本発明は、食器類の洗浄を行う食器洗い機に関し、特にスピーカーの配置に関するものである。
【背景技術】
【０００２】
従来、制御装置からの指示により運転状況に応じた音声メッセージを発生させるスピーカーを備えた食器洗い機がある（例えば、特許文献１参照）。
特許文献１では、前面扉内部に設けられたスピーカーから運転状況に応じた音声メッセージを発生させることによって、従来のように取扱説明書を参照することなく、多数の運転状況を明確に区別して容易に知らせ、使い勝手を向上させている。
【先行技術文献】
【特許文献】
【０００３】
【特許文献１】特許第４４０２２５４号公報
【発明の概要】
【発明が解決しようとする課題】
【０００４】
しかしながら、特許文献１は、スピーカーが洗浄槽とその前面側に設けられた前面扉との間の前面扉側に配置されている。つまり、組み立て時にスピーカーが前面扉側に配置されている状態で、洗浄槽の前面に前面扉が取り付けられる。そのため、洗浄槽の前面に前面扉を取り付ける際に配線の線噛みなどが起き、組立作業性が悪いという課題があった。
【０００５】
本発明は、以上のような課題を解決するためになされたもので、組立作業性を向上させた食器洗い機を提供することを目的としている。
【課題を解決するための手段】
【０００６】
本発明に係る食器洗い機は、前面側に前面壁を有し、食器類を収容する洗浄槽と、前記洗浄槽の前面側に設けられた前面扉と、前記洗浄槽内に収容された食器類に向けて水を噴射する洗浄ノズルと、音を発生させるスピーカーと、を備え、前記スピーカーは、前記前面壁と前記前面扉との間の前記前面壁側に配置されているものである。
【発明の効果】
【０００７】
本発明に係る食器洗い機によれば、スピーカーは、洗浄槽の前面壁と前面扉との間の前面壁側に配置されている。つまり、組み立て時にスピーカーが洗浄槽の前面壁側に配置されている状態で、洗浄槽の前面に前面扉を取り付けることができるため、その際に配線の線噛みなどが起きづらく、組立作業性を向上させることができる。
【図面の簡単な説明】
【０００８】
【図１】本発明の実施の形態に係る食器洗い機の概略構成を示す右側方から見た断面図である。
【図２】本発明の実施の形態１に係る食器洗い機の正面図である。
【図３】本発明の実施の形態１に係る食器洗い機の洗浄槽の正面図である。
【図４】本発明の実施の形態１に係る食器洗い機の洗浄槽の斜視図である。
【図５】本発明の実施の形態１に係る食器洗い機の洗浄槽にスピーカーを取り付ける前の状態を示す図である。
【図６】図５のＡ線矢視部を拡大した図である。
【図７】本発明の実施の形態１に係る食器洗い機の洗浄槽を右方向から見た断面図である。
【図８】図７のＢ線矢視部を拡大した図である。
【図９】本発明の実施の形態２に係る食器洗い機の洗浄槽を右方向から見た断面の一部を拡大した図である。
【図１０】本発明の実施の形態２に係る食器洗い機の洗浄槽にスピーカーを取り付ける前の状態を示す図である。
【図１１】本発明の実施の形態３に係る食器洗い機の洗浄槽を右方向から見た断面の一部を拡大した図である。
【図１２】本発明の実施の形態４に係る食器洗い機の洗浄槽の斜視図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下の説明において、理解を容易にするために方向を表す用語（例えば「上」、「下」、「左」、「右」、「前」、「後」など）を適宜用いるが、これは説明のためのものであって、これらの用語は本願発明を限定するものではない。
【００１０】
実施の形態．
図１は、本発明の実施の形態１に係る食器洗い機１の概略構成を示す右側方から見た断面図である。
以下、本発明の実施の形態１に係る食器洗い機１の概略全体構成を説明する。
【００１１】
図１に示すように、本実施の形態１に係る食器洗い機１は、前面が開口した前面開口部を有し、食器洗い機１の外郭となる筐体２と、上面が開口した上面開口部を有し、食器かご５０および食器かご５０に載置された食器類５１を収納する洗浄槽３０と、洗浄槽３０の上面に設けられており、洗浄槽３０の上面開口部を開閉するふた体４と、洗浄槽３０の前方に取り付けられており、筐体２内部に設けられた洗浄槽３０が取り出される際に開閉する前面扉５と、を備えている。
【００１２】
また、筐体２の内部には、給水弁１０が設けられている。給水弁１０は、水道水を洗浄槽３０に供給するものであり、後述する洗浄工程においては水に洗剤を含んだ洗浄用水を、すすぎ工程においては水に洗剤を含まないすすぎ用水を、洗浄槽３０に供給する。
【００１３】
洗浄槽３０は、ほぼ箱体形状を有しており、底面の少なくとも一部に、鉛直下方向に突出した凹部３０ａが設けられている。その凹部３０ａの四側面のうちいずれかの側面あるいは底面には、洗浄槽３０内に貯留される洗浄用水の水位を検知する水位検知装置１１と、洗浄用水の温度を検知する水温検知装置１７と、洗浄用水を加温する湯沸かしヒーター１２と、洗浄用水を加圧する加圧ポンプ１３と、がそれぞれ取り付けられている。
【００１４】
加圧ポンプ１３は、洗浄槽３０の外部に設けられており、加圧ポンプ１３によって加圧された洗浄用水は、洗浄槽３０の底面に設けられた軸部６を通って、軸部６に取り付けられた洗浄ノズル１９に送られる。そして、洗浄ノズル１９から洗浄用水が食器類５１に向けて噴射され、食器類５１が洗浄される。また、加圧ポンプ１３と同様に、洗浄槽３０の外部には排水ポンプ１６が設けられている。排水ポンプ１６は、洗浄槽３０の凹部３０ａと排水配管１６ａで連通しており、洗浄槽３０内に貯留されている洗浄用水を排水するものである。
【００１５】
また、洗浄槽３０の後方には、空気を加熱して温風にするための乾燥用ヒーター２３と、その温風を洗浄槽３０内に供給するための乾燥用送風機２２と、がそれぞれ取り付けられている。
【００１６】
ふた体４は、筐体２の内面上部に取り付けられている。ふた体４には、リンク機構（図示せず）の一端が取り付けられていて、リンク機構のもう一方の他端は筐体２の内面上部に取り付けられている。そして、このリンク機構により、洗浄槽３０が引き出される際にふた体４が持ち上がり、洗浄槽３０を開放することができるようになっている。
【００１７】
これにより、洗浄槽３０が引き出される際に、洗浄槽３０と一緒にふた体４が引き出されないようになっている。一方で、洗浄槽３０が押し込まれたときには、このリンク機構によってふた体４が下がり、洗浄槽３０を閉塞することができるようになっている。
【００１８】
洗浄槽３０は、筐体２に設けられた固定レール２１と洗浄槽３０に設けた可動レール（図示せず）とにより、正面側に引き出すことで前方に移動させることができるようになっている。また、筐体２には洗浄槽３０が必要なとき以外は前方へ移動しないよう、洗浄槽３０を筐体２内部に保持するための保持機構１８が設けられている。
【００１９】
洗浄槽３０を筐体２の内部方向に所定の保持位置まで押し込むと、保持機構１８により所定の位置に保持される。このとき保持機構１８は、バネ（図示せず）によって洗浄槽３０が引き出し方向とは反対の力で付勢されるようになり、洗浄槽３０を保持することができる。
【００２０】
また、前面扉５の後面と洗浄槽３０の前面との間の空間には、制御装置９が設けられている。制御装置９は、例えば、専用のハードウェア、または記憶部に格納されるプログラムを実行するＣＰＵ（Central Processing Unit、中央処理装置、処理装置、演算装置、マイクロプロセッサ、マイクロコンピュータ、プロセッサともいう）で構成され、食器洗い機１の動作を制御するものである。
【００２１】
また、前面扉５の後面と洗浄槽３０の前面との間の空間の洗浄槽３０側には、音発生手段としてスピーカー４０が設けられている。スピーカー４０は、制御装置９からの指示により音制御回路（図示せず）から出力したブザー、メロディー、音声などの音信号に基づいて鳴動するものである。
【００２２】
図２は、本発明の実施の形態１に係る食器洗い機１の正面図である。
図２に示すように、食器洗い機１の正面には前面扉５が設けられている。前面扉５は上部に操作パネル１５を有し、操作パネル１５の右側には操作部７が設けられている。操作部７は、ユーザーの操作指示入力を受け付け、これに対応した操作信号を制御装置９に出力するものである。操作部７には、食器洗い機１の電源を入れるための電源スイッチ８ａと、食器洗い機１の運転をスタートしたり一時停止したりする運転スイッチ８ｂとが設けられている。
【００２３】
また、操作パネル１５の左右方向のほぼ中央の位置には、正面側に洗浄槽３０を引き出す際に手を掛けるための手掛け部１４が設けられている。また、操作パネル１５の左側には、洗浄槽３０内の空気を食器洗い機１の外部へ排出する前面扉排気口５ａが設けられている。
【００２４】
次に、本実施の形態１に係る食器洗い機１により食器類５１を洗浄および乾燥する場合の動作について説明する。
まず、ユーザーにより手掛け部１４に手を掛けて正面側に洗浄槽３０が引き出され、前面扉５が開けられる。そして、洗浄槽３０の上面開口部から、洗浄槽３０内に収容された食器かご５０に洗浄、乾燥したい食器類５１を載置され、洗浄槽３０内に適量の洗剤が入れられ、洗浄槽３０が筐体２内に押し込まれて前面扉５を閉じられる。これにより、洗浄槽３０は、保持機構１８により前面扉５が閉じられた位置で保持される。
【００２５】
次に、ユーザーにより操作部７に設けられた運転スイッチ８ｂが押されたら、食器洗い機１は動作を開始する。なお、食器洗い機１の動作については制御装置９が制御し、その命令により各機能部品を動作させ、洗浄工程、すすぎ工程、加熱すすぎ工程、乾燥工程の順に進行させていくものである。
【００２６】
制御装置９は、運転スイッチ８ｂが押されたら、まず洗浄工程を開始する。洗浄工程を開始したら、まず給水弁１０を開き、洗浄槽３０内へ洗浄用の水道水の給水を行う。このとき、洗浄槽３０内の水位は、水位検知装置１１にて検知されている。そして、制御装置９は、水位検知装置１１により洗浄槽３０内の水位が所定の水位に達したことを検知したら、給水弁１０を閉じる。
【００２７】
次に、制御装置９は、湯沸かしヒーター１２に通電し、貯留された水道水に洗剤を含んだ洗浄用水を加熱するとともに、加圧ポンプ１３に通電し、その洗浄用水に圧力を与え、軸部６を介して洗浄用水を洗浄ノズル１９に供給する。そして、洗浄ノズル１９の噴射口から洗浄用水が食器類５１に噴射される。
【００２８】
このとき、洗浄ノズル１９は、洗浄用水の噴射量に応じた反力によって、軸部６を中心に所定の方向に回転し、回転しながら食器類５１に万遍なく噴射し、食器類５１を洗浄していく。すなわち、この食器洗い機１は、洗浄ノズル１９を回転させるためのモータなどの駆動手段を別途設けることなく、洗浄ノズル１９から噴射させる洗浄用水によって洗浄ノズル１９を回転させるようになっている。
【００２９】
ここで、洗浄工程における洗浄は、貯留された洗浄用水を循環しながら行うものであり、洗浄槽３０の底面へ落下した洗浄用水を集め、再び加圧ポンプ１３にて圧力を与え、洗浄ノズル１９を利用して食器類５１に洗浄用水を噴射することを繰り返すものである。なお、洗浄槽３０の上面開口部はふた体４により閉塞されているので、洗浄用水が洗浄槽３０の外部に飛散することはない。
【００３０】
また、洗浄は湯沸かしヒーター１２により洗浄用水を加熱しながら行うものであり、その洗浄用水の温度は、洗剤に含まれる酵素の能力を最大限に発揮できる温度にするのが通常であり、概ね６０℃程度に設定される。洗浄用水の温度は、水温検知装置１７にて検知されている。そして、制御装置９は、水温検知装置１７により洗浄用水の温度が所定の温度に達したことを検知したら、湯沸かしヒーター１２の通電を停止する。
【００３１】
洗浄工程が開始され、所定の時間が経過したら、制御装置９は、湯沸かしヒーター１２および加圧ポンプ１３の通電を停止するとともに、排水ポンプ１６に通電し、洗浄槽３０内に貯留された洗浄用水を外部に排水する。そして、排水が完了したら、制御装置９は、排水ポンプ１６への通電を停止し、これにより、洗浄工程が終了する。
【００３２】
洗浄工程が終了したら、制御装置９は、続いてすすぎ工程を開始するが、基本的な動作は洗浄工程とほぼ同様で、まず、給水弁１０を開き、洗浄槽３０内へすすぎ用の水道水の給水を行う。そして、制御装置９は、水位検知装置１１により洗浄槽３０内の水位が所定の水位に達したことを検知したら、給水弁１０を閉じる。
【００３３】
次に、制御装置９は、加圧ポンプ１３に通電し、貯留されたすすぎ用水に圧力を与え、軸部６を介してすすぎ用水を洗浄ノズル１９に供給する。そして、洗浄ノズル１９の噴射口からすすぎ用水が食器類５１に噴射される。この噴射されたすすぎ用水は、食器類５１に掛けられ、食器類５１に残った洗浄用水および微細な汚れをすすぐ。
【００３４】
そして、すすぎ工程が開始され、所定の時間が経過したら、制御装置９は、加圧ポンプ１３の通電を停止するとともに、排水ポンプ１６に通電し、洗浄槽３０内に貯留されたすすぎ用水を外部に排水する。すすぎ工程では、この一連の動作が数回繰り返して行われる。なお、このすすぎ工程では、湯沸かしヒーター１２によるすすぎ用水の加温はされない。
【００３５】
すすぎ工程が終了したら、制御装置９は、続いて加熱すすぎ工程を開始するが、基本的な動作は洗浄工程あるいはすすぎ工程と同様であり、上述したすすぎ工程に、湯沸かしヒーター１２によるすすぎ用水が加温されている点だけが異なる。
【００３６】
なお、そのすすぎ用水の温度は、洗浄の最後を仕上げるために、そして、食器類５１の温度を上げて乾燥性能を高めるために、洗浄用水の温度よりも高い温度にするのが通常であり、概ね７０℃以上（Ｏ−１５７対策では７５℃以上）に設定される。
【００３７】
加熱すすぎ工程が終了したら、制御装置９は、最後の工程である乾燥工程を開始する。乾燥工程を開始したら、まず乾燥用送風機２２に通電し、洗浄槽３０内に空気を導入するとともに、乾燥用ヒーター２３に通電し、空気を加熱して温風する。その温風は洗浄槽３０内に供給され、食器類５１および洗浄槽３０内を乾燥させる。そして、これらを乾燥させた温風は、洗浄槽３０の排気口（図示せず）から排気ダクト（図示せず）を経由して、前面扉排気口５ａから食器洗い機１の外部へ排出される。
【００３８】
そして、乾燥工程が開始され、所定の時間が経過したら、制御装置９は、乾燥用送風機２２および乾燥用ヒーター２３の通電を停止し、これにより、乾燥工程が終了する。
乾燥工程が終了したら、全ての工程が完了となる。
【００３９】
全ての工程が完了したら、制御装置９は、スピーカー４０により音を発生させ、全ての工程が完了したことをユーザーに報知する。その後、ユーザーにより食器類５１を取り出す作業が行われる。食器かご５０に食器類５１が載置されたときと同様に、手掛け部１４に手を掛けて正面側に洗浄槽３０が引き出され、前面扉５が開けられる。そして、洗浄槽３０の上面開口部から、洗浄槽３０内に収容された食器かご５０に載置された食器類５１が取り出され、洗浄槽３０が筐体２内に押し込まれて前面扉５が閉じられる。
【００４０】
なお、運転状況に応じてスピーカー４０により音を発生させ、ユーザーに運転状況を報知してもよい。
【００４１】
図３は、本発明の実施の形態１に係る食器洗い機１の洗浄槽３０の正面図であり、図４は、本発明の実施の形態１に係る食器洗い機１の洗浄槽３０の斜視図であり、図５は、本発明の実施の形態１に係る食器洗い機１の洗浄槽３０にスピーカー４０を取り付ける前の状態を示す図であり、図６は、図５のＡ線矢視部を拡大した図である。
【００４２】
次に、本実施の形態１に係る食器洗い機１のスピーカー４０およびそれに関連する箇所の構造について説明する。
図３および図４に示すように、洗浄槽３０の前面には矩形状の前面壁３１が設けられており、前面壁３１の四側部には、前面壁３１を囲むように前方に突出した側壁３２が設けられている。また、図５および図６に示すように、前面壁３１の前面側の高さ方向中央よりも上部には、前方に突出した立壁３４を有するホーン形状の囲い込み部３３が設けられている。なお、この立壁３４は樹脂または弾性部材で形成されている。
【００４３】
囲い込み部３３には、正面視して円形状のスピーカー４０が、音が発生する前面が前方を向くように、ネジ止めなどにより取り付けられている。つまり、スピーカー４０は、洗浄槽３０の前面壁３１と前面扉５との間の前面壁３１側に配置されている。なお、スピーカー４０の形状は上記に限定されない。
【００４４】
また、図１に示すように、スピーカー４０と前面扉５との間には、隙間が形成されている。そのため、スピーカー４０から発生する音が籠もったり、食器洗い機１の動作時の振動の共振によるビビリ音が発生したりするのを抑制することができ、音声品質を向上させることができる。
【００４５】
図７は、本発明の実施の形態１に係る食器洗い機１の洗浄槽３０を右方向から見た断面図であり、図８は、図７のＢ線矢視部を拡大した図である。
図７および図８に示すように、スピーカー４０は、その側部が立壁３４に支持され、その後面が囲い込み部３３で覆われるように、囲い込み部３３に取り付けられている。そのため、スピーカー４０は、囲い込み部３３に取り付けられた際に側部から後面にかけて囲い込み部３３によって密閉された状態となる。
【００４６】
以上、本実施の形態１に係る食器洗い機１によれば、前面側に前面壁３１を有し、食器類５１を内部に収容する洗浄槽３０と、洗浄槽３０の前面側に設けられた前面扉５と、噴射口を有し、噴射口から洗浄槽３０内に収容された食器類５１に向けて水を噴射する洗浄ノズル１９と、制御装置９からの指示により音を発生させるスピーカー４０と、を備え、スピーカー４０は、洗浄槽３０の前面壁３１と前面扉５との間の前面壁３１側に配置されている。つまり、組み立て時にスピーカー４０が洗浄槽３０の前面壁３１側に配置されている状態で、洗浄槽３０の前面に前面扉５を取り付けることができるため、その際に配線の線噛みなどが起きづらく、組立作業性を向上させることができる。
【００４７】
また、前面壁３１の前面側の上部に設けられた囲い込み部３３にスピーカー４０が取り付けられている。つまり、スピーカー４０は、洗浄槽３０の高さ方向中央よりも上部に設けられている。そして、食器洗い機１は、ユーザーよりも低い位置に取り付けられているため、洗浄槽３０の上部にスピーカー４０を設けることで、ユーザーに近い位置にスピーカー４０を配置することができ、ユーザーがスピーカー４０から発生した音を聞き取りやすくすることができる。
【００４８】
また、ユーザーは、通常では食器洗い機１の使用時にその前方に位置しているため、スピーカー４０がその前面が前方の前面扉５側を向くように配置されている場合の方が、その前面が後方を向くように配置されている場合よりも、スピーカー４０から発生した音が大きく聞こえる。本実施の形態１では、スピーカー４０がその前面が前方の前面扉５側を向くように配置されているため、ユーザーがスピーカー４０から発生した音を聞き取りやすくすることができる。
【００４９】
また、スピーカー４０は、その後面が囲い込み部３３に覆われるように取り付けられるため、スピーカー４０から発生する音は、食器洗い機１の動作音と異なる音域となり、ユーザーがスピーカー４０から発生した音を聞き取りやすくすることができる。また、スピーカー４０の側部から後面にかけて密閉されているため、食器洗い機１の動作時の振動の共振によるビビリ音などの雑音を遮断することができ、雑音のない素直な音とすることができる。
【００５０】
また、囲い込み部３３の立壁３４をホーン形状などの幾何学的な形状とすることで、低音は増強され、中音および高音は減衰されるため、スピーカー４０から発生する音は、食器洗い機１の動作音と異なる音域となり、ユーザーがスピーカー４０から発生した音を聞き取りやすくすることができる。
【００５１】
なお、囲い込み部３３の立壁３４を８面体形状としてもよく、その場合は立壁３４の剛性を上げることができ、ビビリ音などを発生させる食器洗い機１の動作時の振動を緩和することができ、音声品質を向上させることができる。
【００５２】
また、立壁３４は、樹脂または弾性部材で形成されているため、スピーカー４０が囲い込み部３３に取り付けられる際に、立壁３４によって均等に支えられる。そのため、ビビリ音などを発生させる食器洗い機１の動作時の振動を緩和することができ、音声品質を向上させることができる。
【００５３】
実施の形態２．
以下、本発明の実施の形態２について説明するが、実施の形態１と重複するものについては説明を省略し、実施の形態１と同じ部分または相当する部分には同じ符号を付す。
【００５４】
図９は、本発明の実施の形態２に係る食器洗い機１の洗浄槽３０を右方向から見た断面の一部を拡大した図であり、図１０は、本発明の実施の形態２に係る食器洗い機１の洗浄槽３０にスピーカー４０を取り付ける前の状態を示す図である。
図９および図１０に示すように、本実施の形態２では、囲い込み部３３が洗浄槽３０とは別体として設けられている。また、洗浄槽３０の前面壁３１の上部には一部が開口した取り付け部３５が形成されている。なお、この取り付け部３５の開口部はスピーカー４０と同様に正面視して円形状を有しているが、その直径はスピーカー４０の直径よりも小さくなっている。
【００５５】
そして、前面壁３１の後面側からスピーカー４０を取り付け部３５に配置し、その状態で前面壁３１の後面側から囲い込み部３３を取り付け部３５にネジ止めなどにより取り付ける。なお、囲い込み部３３は、スピーカー４０と同様に正面視して円形状を有しているが、スピーカー４０の側部から後面にかけて覆うことができるように、その直径はスピーカー４０の直径よりも大きくなっている。
【００５６】
このような構成とすることにより、囲い込み部３３の立壁３４の高さが異なるものに付け替えることができるため、スピーカー４０の後面と囲い込み部３３との隙間を調整することができる。そのため、食器洗い機１の動作時の振動の共振によるビビリ音などの雑音を改善することができる。
【００５７】
実施の形態３．
以下、本発明の実施の形態３について説明するが、実施の形態１および２と重複するものについては説明を省略し、実施の形態１および２と同じ部分または相当する部分には同じ符号を付す。
【００５８】
図１１は、本発明の実施の形態３に係る食器洗い機１の洗浄槽３０を右方向から見た断面の一部を拡大した図である。
図１１に示すように、本実施の形態３では、囲い込み部３３には、スピーカー４０が、その後面が前方の前面扉５側を向くように取り付けられている。つまり、実施の形態１とは反対向きに取り付けられている。
【００５９】
このように、スピーカー４０をその後面が前方を向くように配置することで、スピーカー４０の音は、囲い込み部３３によって密閉された方向に向けて発生し、共振音が発生するようになる。そのため、スピーカー４０から発生する音は、食器洗い機１の動作音と異なる音域となり、ユーザーがスピーカー４０から発生した音を聞き取りやすくすることができる。
【００６０】
実施の形態４．
以下、本発明の実施の形態４について説明するが、実施の形態１〜３と重複するものについては説明を省略し、実施の形態１〜３と同じ部分または相当する部分には同じ符号を付す。
【００６１】
図１２は、本発明の実施の形態４に係る食器洗い機１の洗浄槽３０の斜視図である。
図１２に示すように、本実施の形態４では、前面壁３１の側部に設けられている側壁３２の一部が切り欠かれて開口した切り欠き部３２ａが形成されている。このような構成とすることにより、スピーカー４０から発生した音が切り欠き部３２ａから漏れるようになるため、ユーザーがスピーカー４０から発生した音を聞き取りやすくすることができる。
【００６２】
なお、本実施の形態４では、切り欠き部３２ａが側壁３２の下部に形成されているが、他の部分でもよい。また、切り欠き部３２ａは、前面壁３１の一側部の全体に渡って形成してもよいし、前面壁３１の一側部の一部のみに形成してもよい。
【符号の説明】
【００６３】
１  食器洗い機、２  筐体、４  ふた体、５  前面扉、５ａ  前面扉排気口、６  軸部、７  操作部、８ａ  電源スイッチ、８ｂ  運転スイッチ、９  制御装置、１０  給水弁、１１  水位検知装置、１２  湯沸かしヒーター、１３  加圧ポンプ、１４  手掛け部、１５  操作パネル、１６  排水ポンプ、１６ａ  排水配管、１７  水温検知装置、１８  保持機構、１９  洗浄ノズル、２１  固定レール、２２  乾燥用送風機、２３  乾燥用ヒーター、３０  洗浄槽、３０ａ  凹部、３１  前面壁、３２  側壁、３２ａ  切り欠き部、３３  囲い込み部、３４  立壁、３５  取り付け部、４０  スピーカー、５０  食器かご、５１  食器類。
【図１】
2018033848.tif 000003
【図２】
2018033848.tif 000004
【図３】
2018033848.tif 000005
【図４】
2018033848.tif 000006
【図５】
2018033848.tif 000007
【図６】
2018033848.tif 000008
【図７】
2018033848.tif 000009
【図８】
2018033848.tif 000010
【図９】
2018033848.tif 000011
【図１０】
2018033848.tif 000012
【図１１】
2018033848.tif 000013
【図１２】
2018033848.tif 000014